(57)【要約】      （修正有）【課題】内ヒダ部を、伸度がより低く外方側に位置した外表部で挟んだヒダ挟み構造を設けて、「外観変化の視認性向上」を実現する。【解決手段】使用者が履く靴のアッパー部材１である。アッパー部材１は、使用者の足を覆い且つ立体的に一体編成された無縫製の緯編地２であり、緯編地２は、アッパー部材１の内方側へヒダ状に突出可能な内ヒダ部２１と、内ヒダ部２１より伸度が低く且つ内ヒダ部２１よりアッパー部材１の外方側に位置した外表部２２を有し、１つの内ヒダ部２１を２つの外表部２２で挟んだヒダ挟み構造７を有している。ヒダ挟み構造７は、非伸張時には１つの内ヒダ部２１が２つの外表部２２の間でアッパー部材１の内方側に隠れたり、伸張時には１つの内ヒダ部２１が２つの外表部２２の間から露出したり、非伸張時の１つの内ヒダ部２１と２つの外表部２２との内外差ΔＴが、伸張時の内外差ΔＴより大きくても良い。【選択図】図８
2019062969.tif 000002
【特許請求の範囲】
【請求項１】
使用者が履く靴のアッパー部材であって、
当該アッパー部材は、前記使用者の足を覆い、且つ、立体的に一体編成された無縫製の緯編地であり、
この緯編地は、当該アッパー部材の内方側へヒダ状に突出可能な内ヒダ部と、この内ヒダ部を編成する糸より伸度が低い糸で編成され、且つ、前記内ヒダ部より当該アッパー部材の外方側に位置した外表部を有すると共に、
前記緯編地は、１つの前記内ヒダ部を２つの前記外表部で挟んだヒダ挟み構造を有していることを特徴とするアッパー部材。
【請求項２】
前記ヒダ挟み構造は、当該ヒダ挟み構造が伸張していない時に、前記１つの内ヒダ部が前記２つの外表部の間で当該アッパー部材の内方側に隠れるように配置されている、及び／又は、
前記ヒダ挟み構造は、当該ヒダ挟み構造がヒダ幅方向に伸張した時に、前記１つの内ヒダ部が前記２つの外表部の間から露出するように配置されていることを特徴とする請求項１に記載のアッパー部材。
【請求項３】
前記ヒダ挟み構造は、当該ヒダ挟み構造が伸張していない時における前記１つの内ヒダ部と前記２つの外表部との内外差が、当該ヒダ挟み構造がヒダ幅方向に伸張した時における前記内外差より大きいことを特徴とする請求項１又は２に記載のアッパー部材。
【請求項４】
前記内ヒダ部の色と前記外表部の色が異なることを特徴とする請求項１〜３の何れか１項に記載のアッパー部材。
【請求項５】
前記ヒダ挟み構造は、前記使用者の足の前部を覆う足前被覆部と、前記使用者の足のＭＰ関節部分を覆うＭＰ被覆部と、前記使用者の足の足首を覆う足首被覆部のうちの少なくとも１つに設けられていることを特徴とする請求項１〜４の何れか１項に記載のアッパー部材。
【請求項６】
請求項１〜５の何れか１項に記載のアッパー部材と、このアッパー部材を取り付けるソール部材を備え、
前記アッパー部材の足長方向長さは、前記ソール部材の足長方向長さより短いことを特徴とする靴。
【発明の詳細な説明】
【技術分野】
【０００１】
本発明は、使用者が履く靴のアッパー部材、及び、靴に関する。
【背景技術】
【０００２】
従来、シューズ、特にスポーツシューズ用のアッパーとして、複数のウェブ状領域（webbed areas）と、複数の管状リブ構造体（tubular rib structures）を有したアッパー（upper ）等の物品（article ）が知られている（特許文献１参照）。
この物品の複数のウェブ状領域は、第１の編糸（yarn）から編成された複数のコース（courses ）により編成されており、中立位置（neutral position）と伸長位置（extended position ）との間で移動するように構成されている。又、複数のコース（courses ）を含む複数の管状リブ構造体が、前記ウェブ状領域に隣接して配置されている。前記ウェブ状領域及び前記管状リブ構造体のうちの少なくとも１つは、前記物品に加えられた力に応答して前記中立位置から前記伸長位置に伸びるように構成され、前記中立位置においては、前記ウェブ状領域における第１の領域（first area）は、第１の視点（first viewing perspective ）から目視できないように隠され、そして、前記伸長位置においては、前記ウェブ状領域における前記第１の領域は、前記第１の視点からの目視で視認される。
【先行技術文献】
【特許文献】
【０００３】
【特許文献１】米国特許出願公開第２０１６／００８８８９３号明細書
【発明の概要】
【発明が解決しようとする課題】
【０００４】
しかしながら、特許文献１に記載されたアッパー等の物品は、リブ構造体が「管状」であるため、使用者の足の挙動による力などが加わっても管状リブ構造体の突出している部分が変形し難い。
このため、管状リブ構造体の突出している部分は、ウェブ状領域が伸長した時にも、アッパーの外側に向かって突出したままであるため、アッパーの表面を斜め方向から目視した際にはウェブ状領域を視認することが出来ず、足の挙動に伴う外観の変化がわかり難かった。
【０００５】
本発明は、このような点に鑑み、内ヒダ部を伸度がより低く外方側に位置した外表部で挟んだヒダ挟み構造を有することで、使用者の足の挙動に伴う「外観変化の視認性」を向上させるアッパー部材、及び、靴を提供することを目的とする。
【課題を解決するための手段】
【０００６】
本発明に係るアッパー部材１は、使用者が履く靴のアッパー部材であって、当該アッパー部材は、前記使用者の足を覆い、且つ、立体的に一体編成された無縫製の緯編地であり、この緯編地は、当該アッパー部材の内方側へヒダ状に突出可能な内ヒダ部と、この内ヒダ部を編成する糸より伸度が低い糸で編成され、且つ、前記内ヒダ部より当該アッパー部材の外方側に位置した外表部を有すると共に、前記緯編地は、１つの前記内ヒダ部を２つの前記外表部で挟んだヒダ挟み構造を有していることを第１の特徴とする。
【０００７】
本発明に係るアッパー部材１の第２の特徴は、上記第１の特徴に加えて、前記ヒダ挟み構造は、当該ヒダ挟み構造が伸張していない時に、前記１つの内ヒダ部が前記２つの外表部の間で当該アッパー部材の内方側に隠れるように配置されている、及び／又は、前記ヒダ挟み構造は、当該ヒダ挟み構造がヒダ幅方向に伸張した時に、前記１つの内ヒダ部が前記２つの外表部の間から露出するように配置されている点にある。
【０００８】
本発明に係るアッパー部材１の第３の特徴は、上記第１又は２の特徴に加えて、前記ヒダ挟み構造は、当該ヒダ挟み構造が伸張していない時における前記１つの内ヒダ部と前記２つの外表部との内外差が、当該ヒダ挟み構造がヒダ幅方向に伸張した時における前記内外差より大きい点にある。
【０００９】
本発明に係るアッパー部材１の第４の特徴は、上記第１〜３の特徴に加えて、前記内ヒダ部の色と前記外表部の色が異なる点にある。
【００１０】
本発明に係るアッパー部材１の第５の特徴は、上記第１〜４の特徴に加えて、前記ヒダ挟み構造は、前記使用者の足の前部を覆う足前被覆部と、前記使用者の足のＭＰ関節部分を覆うＭＰ被覆部と、前記使用者の足の足首を覆う足首被覆部のうちの少なくとも１つに設けられている点にある。
【００１１】
これらの特徴により、内ヒダ部２１を伸度Ｄがより低く外方側に位置した外表部２２で挟んだヒダ挟み構造７を設けることによって、特許文献１とは異なり、使用者Ｕの足Ｆの挙動による力などが加わった時に、ヒダ挟み構造７が引き伸ばされた際には、アッパー部材１の外方側に位置する２つの外表部２２と略同じ内外位置に、内ヒダ部２１も移動する（図８（ｂ）参照）と共に、外表部２２に挟み込まれていた内ヒダ部２１が外表部２２の間からより多く露出する。すなわち、アッパー部材１を何れの方向から視た際にも、多く露出した内ヒダ部２１を視認し易くなる。これにより、使用者Ｕの足Ｆの挙動に伴う外観変化の視認性を向上させることが出来る。
尚、アッパー部材１の「内方側」とは、使用者Ｕの足Ｆを覆うアッパー部材１における当該足Ｆにより近い面側（内面側、又は、裏面側）であるとも言え、アッパー部材１の「外方側」とは、使用者Ｕの足Ｆを覆うアッパー部材１における当該足Ｆからより遠い面側（外面側、又は、表面側）であるとも言える。
又、「内ヒダ部２１がアッパー部材１の内方側へヒダ状に突出可能である」とは、内ヒダ部２１の状況によって、内ヒダ部２１がアッパー部材１の内方側へヒダ状に突出する場合もあれば、内ヒダ部２１がアッパー部材１の内方側へヒダ状に突出していない場合もあることを意味する（例えば、内ヒダ部２１を含むヒダ挟み構造７（緯編地２）が伸張していない時には、内ヒダ部２１がアッパー部材１の内方側へ突出し、ヒダ挟み構造７がヒダ幅方向に伸張した時には、内ヒダ部２１がアッパー部材１の内方側へヒダ状に突出しない、又は、突出深さが浅くなっても良い）。
更に、ヒダ挟み構造７の「ヒダ幅方向」は、ヒダ挟み構造７における内ヒダ部２１のヒダ幅方向と略同一の方向である。
【００１２】
又、ヒダ挟み構造７の非伸張時に内ヒダ部２１を外表部２２より内方側に隠したり、ヒダ挟み構造７のヒダ幅方向の伸張時に内ヒダ部２１を外表部２２の間から露出させることによって、使用者Ｕの足Ｆの挙動による力などが加わった時と加わっていない時の内ヒダ部２１と外表部２２の動きにメリハリが付き、更にデザイン性を向上できる。
尚、「ヒダ挟み構造７が伸張していない時（非伸張時）」とは、当該ヒダ挟み構造７を引っ張って伸ばす（伸び広げる）力が、何れの方向からも一切かかっていない時を意味する。
一方、「ヒダ挟み構造がヒダ幅方向に伸張した時（伸張時）」とは、当該ヒダ挟み構造７を引っ張って伸ばす力が、少なくともヒダ幅方向にかかり、当該ヒダ挟み構造７が少なくともヒダ幅方向に伸びている時を意味し、ヒダ幅方向の力と同時にヒダ幅方向の力以外の方向の力が当該ヒダ挟み構造７にかかり、ヒダ幅方向と同時にヒダ幅方向以外にも当該ヒダ挟み構造７が伸びている時も含む。
このようなヒダ挟み構造７を引っ張って伸ばす力とは、使用者Ｕがアッパー部材１（靴１００）を履いた時（つまり、使用時）における使用者Ｕの足Ｆの挙動による力だけでなく、使用者Ｕがアッパー部材１を履いていなくとも、手や引張試験機のチャック（把持部）によってヒダ挟み構造７にかかる力なども含む。
【００１３】
更に、非伸張時の内ヒダ部２１と外表部２２の内外差ΔＴが、伸張時の内外差ΔＴより大きいことによって、内ヒダ部２１が外表部２２の間から露出し易くなるのみならず、内ヒダ部２１が伸びる分だけ内ヒダ部２１の露出面積も増加するので、ヒダ挟み構造７（アッパー部材１）が伸張している時としていない時とでメリハリのある変化を表現することが出来、これにより使用者Ｕの足Ｆの挙動に伴う外観変化の視認性をより向上することが可能となる。
【００１４】
そして、内ヒダ部２１の色と外表部２２の色を異ならせる（変える）ことによって、使用者Ｕの足Ｆの挙動による力などが加わった時に、内ヒダ部２１と外表部２２の動きがより明確となり、足Ｆの挙動に伴う外観変化の視認性をさらに向上することが出来る。
尚、「内ヒダ部２１の色と外表部２２の色が異なる」とは、上述したヒダ挟み構造７内における１つの内ヒダ部２１の色と２つの外表部２２の色が異なる場合だけでなく、ヒダ挟み構造７内にある内ヒダ部２１及び外表部２２であるか否かを問わず、アッパー部材１における何れか箇所における内ヒダ部２１の色と外表部２２の色が異なる場合も含む。
【００１５】
これらに加えて、ヒダ挟み構造７を、足前被覆部２３とＭＰ被覆部２４と足首被覆部２の少なくとも１つに設けることによって、使用者Ｕの足Ｆにおいて、動き（可動域）が大きい足Ｆの前部やＭＰ関節部分、足首（踝（くるぶし）周辺部分）をヒダ挟み構造７が覆うこととなり、アッパー部材１の外観が使用中に変化するという新たなデザイン性を付与できる。
【００１６】
本発明に係る靴１００は、上記第１〜５の特徴を有したアッパー部材と、このアッパー部材を取り付けるソール部材を備え、前記アッパー部材の足長方向長さは、前記ソール部材の足長方向長さより短いことを第１の特徴とする。
【００１７】
この特徴により、アッパー部材１の足長方向長さ１Ｌを、ソール部材３０の足長方向長さ３０Ｌより短くすることによって、アッパー部材１をソール部材３０に取り付けた際に、アッパー部材１全体で、使用者Ｕの足Ｆを緩やかに拘束でき、使用者Ｕが靴１００を履いた際に、使用者Ｕの足Ｆの皮膚に、アッパー部材１を更に追従させ易くなる。
尚、本発明における「アッパー部材１の足長方向長さ１Ｌ」とは、アッパー部材１をソール部材３０に取り付ける前（アッパー部材１が単独で存在している時（一旦、アッパー部材１をソール部材３０に取り付けた後に、敢えてソール部材３０から取り外した時も含む））の当該アッパー部材１の足長方向長さ１Ｌを意味する。
同様に、本発明における「ソール部材３０の足長方向長さ３０Ｌ」とは、アッパー部材１をソール部材３０に取り付ける前（アッパー部材１が単独で存在している時（一旦、アッパー部材１をソール部材３０に取り付けた後に、敢えてソール部材３０から取り外した時も含む））の当該ソール部材３０の足長方向長さ３０Ｌを意味する。
【発明の効果】
【００１８】
本発明に係るアッパー部材、及び、靴によると、内ヒダ部を伸度がより低く外方側に位置した外表部で挟んだヒダ挟み構造が設けられることで、「外観変化の視認性向上」を図ったアッパー部材、及び、靴を実現できる。
【図面の簡単な説明】
【００１９】
【図１】本発明に係るアッパー部材（緯編地）の外観を示す図面代用写真である。
【図２】アッパー部材（緯編地）を示す平面図である。
【図３】アッパー部材（緯編地）を示す側面図である。
【図４】アッパー部材（緯編地）を示す正面図である。
【図５】アッパー部材におけるヒダ挟み構造の平面を示す図面代用写真である。
【図６】アッパー部材におけるヒダ挟み構造の底面を示す図面代用写真である。
【図７】使用時のアッパー部材におけるヒダ挟み構造を示す図面代用写真である。
【図８】ヒダ挟み構造を示す断面図であって、（ａ）はアッパー部材（緯編地）の非伸張時を示し、（ｂ）はアッパー部材（緯編地）の伸張時を示す。
【図９】アッパー部材をソール部材に取り付けた靴の側面を示す図面代用写真である。
【発明を実施するための形態】
【００２０】
＜アッパー部材１の全体構成＞
以下、本発明の実施の形態を図面を参照して説明する。
図１〜９には、本発明に係るアッパー部材１が示されており、このアッパー部材１は、使用者Ｕが履く靴１００の一部である。
【００２１】
アッパー部材１は、後述する緯編地２であり、後述するソール部材３０に取り付けられて靴１００を構成する。
この靴１００におけるアッパー部材１は、使用者Ｕの足Ｆを覆う部分であることから、まずは、靴１００を履く使用者Ｕの足Ｆについて、以下に詳解する。
【００２２】
＜使用者Ｕの足Ｆ＞
図２、３に示したように、使用者Ｕの足Ｆは、爪先Ｔから踵（かかと）Ｈに向かって順番に、指骨、中足骨、足根骨を有している。
使用者Ｕの足Ｆにおける指骨は、人差し指（第２趾）・中指（第３趾）・薬指（第４趾）・小指（第５趾）においては、爪先Ｔから踵Ｈに向かって順番に、末節骨と中節骨と基節骨で構成されているものの、親指（第１趾）においてだけは、中節骨がなく、末節骨と基節骨で構成されている。
【００２３】
足Ｆの指骨における関節は、人差し指・中指・薬指・小指については、爪先Ｔから踵Ｈに向かって順番に、末節骨と中節骨の間にある遠位趾節間関節（Distal InterPhalangeal joint（ＤＩＰ関節））と、中節骨と基節骨の間にある近位趾節間関節（Proximal InterPhalangeal joint（ＰＩＰ関節））を有している。
尚、上述したように、親指は、末節骨と基節骨で構成されるため、これらの間にある趾節間関節（InterPhalangeal joint （ＩＰ関節））のみを有している。
【００２４】
使用者Ｕの足Ｆは、指骨と中足骨の間にあるＭＰ関節（中足趾節間関節（MetaTarsoPharangeal joint ））を有している。
尚、足ＦにおけるＭＰ関節は、詳解すれば、親指の基節骨（第１基節骨）と親指に対応する中足骨（第１中足骨）の間にある関節と、人差し指の基節骨（第２基節骨）と人差し指に対応する中足骨（第２中足骨）の間にある関節と、中指の基節骨（第３基節骨）と中指に対応する中足骨（第３中足骨）の間にある関節と、薬指の基節骨（第４基節骨）と薬指に対応する中足骨（第４中足骨）の間にある関節と、小指の基節骨（第５基節骨）と小指に対応する中足骨（第５中足骨）の間にある関節を合わせた関節であると言え、手におけるＭＰ関節（中手指節間関節（MetaCarpoPhalangeal joint （ＭＣＰ関節））と区別するためＭＴＰ関節とも言う。
【００２５】
又、ＭＰ関節は、足Ｆにおいて、平面視で最も左右幅が広い（足幅方向の長さが長い）とも言える。
ここで、足Ｆにおける後述する足幅方向（左右方向）とは、後述する足Ｆの足長方向Ｌに対して、当該足長方向Ｌが略沿う水平面内で、略直交する方向であるとも言える。
一方、足Ｆにおける足厚方向（上下方向、鉛直方向）とは、後述する足Ｆの足長方向Ｌに対して、当該足長方向Ｌが略沿う鉛直平面内で、略直交する方向であるとも言える。
【００２６】
使用者Ｕの足Ｆにおける足根骨は、爪先Ｔ寄りから踵（かかと）Ｈ寄りに向かって順番に、内側楔状骨、中間楔状骨、外側楔状骨、立方骨、舟状骨、距骨、踵骨で構成されている。
足Ｆの足根骨における関節は、爪先Ｔから踵Ｈに向かって順番に、中足骨（親指・人差し指・中指・薬指・小指に対応する５本の中足骨）と足根骨（内側楔状骨・中間楔状骨・外側楔状骨・立方骨）の間にあるリスフラン関節や、足根骨内における（立方骨及び舟状骨と距骨及び踵骨の間にある）ショパール関節などを有している。
【００２７】
尚、上述したリスフラン関節は、親指に対応する中足骨（第１中足骨）と内側楔状骨の間にある関節と、人差し指に対応する中足骨（第２中足骨）と中側楔状骨の間にある関節と、中指に対応する中足骨（第３中足骨）と外側楔状骨の間にある関節と、薬指に対応する中足骨（第４中足骨）及び小指に対応する中足骨（第５中足骨）と立方骨の間にある関節を合わせた関節であると言え、足根中足関節とも言う。
又、ショパール関節は、舟状骨と距骨の間にある距舟関節と、立方骨と踵骨の間にある踵立方関節を合わせた関節であると言え、横足根関節とも言う。
その他、使用者Ｕの足Ｆの足根骨における関節は、上述したリスフラン関節やショパール関節以外にも、外側楔状骨と立方骨の間にある楔立方関節や、楔状骨（内側楔状骨・中側楔状骨・外側楔状骨）と舟状骨の間にある楔舟関節、距骨と踵骨の間にある距骨下関節などを有している。
【００２８】
＜使用者Ｕの足Ｆの足長方向Ｌ＞
図２、３に示したように、本発明における使用者Ｕの足Ｆの「足長方向（前後方向）Ｌ」とは、使用者Ｕの足Ｆにおける爪先Ｔ（親指・人差し指・中指・薬指・小指のうち、最も前方へ突出した指の先端）と踵Ｈ（踵Ｈにおいて最も後方へ突出した先端）を結ぶ方向を意味する。
よって、使用者Ｕの足Ｆは、足長方向Ｌに沿って前から順番に（爪先Ｔから踵Ｈに向かって順番に）、ＭＰ関節、リスフラン関節、ショパール関節を有していると言える。
又、本発明では、このような使用者Ｕの足Ｆについて、その一方の側部をＦＳ１とし、足Ｆの底部をＦＢ、他方の側部をＦＳ２とすると共に、使用者Ｕの足Ｆにおいて、その前部分（爪先Ｔからショパール関節まで）をＦＦ、後部分（ショパール関節から踵Ｈまで）をＦＲとし、更に、前部分ＦＦにおける甲部をＦＫとする。
【００２９】
尚、使用者Ｕの足Ｆのうち、その前部分ＦＦは、甲部ＦＫやその下方の底部ＦＢの他、各指（親指・人差し指・中指・薬指・小指）を含む一方で、後部分ＦＲは足首下方部分であるとも言える。
特に、使用者Ｕの足Ｆのうち、前部分ＦＦの甲部ＦＫ（上面）と各指の上面（各指の上部）を合わせて、甲部ＦＫ側、又は、上面ＦＪであると言える。
又、使用者Ｕの足Ｆにおける一方の側部ＦＳ１とは、前部分ＦＦの一方の側部（例えば、親指の一方側の側部（内甲側の側部）を含む）と後部分ＦＲの一方の側部を合わせたものであり、足Ｆにおける他方の側部ＦＳ２とは、前部分ＦＦの他方の側部と後部分ＦＲの他方の側部を合わせたものであり、足Ｆにおける底部ＦＢとは、前部分ＦＦの底部と後部分ＦＲの底部を合わせたものであると言える。
【００３０】
＜使用者Ｕの足Ｆの足幅方向Ｓ＞
図２、３に示したように、本発明における使用者Ｕの足Ｆの「足幅方向Ｓ」とは、上述したように、使用者Ｕの足Ｆの上述した足長方向Ｌに対して、当該足長方向Ｌが略沿う水平面内で、略直交する方向であって、一方の側部ＦＳ１から他方の側部ＦＳ２までを少なくとも含む方向を意味する。
詳解すれば、足Ｆの足幅方向Ｓは、上述した使用者Ｕの足Ｆの足長方向Ｌの各位置に応じており、例えば、足Ｆの爪先Ｔ近傍（爪先ＴからＭＰ関節まで）における足幅方向Ｓとは、親指・人差し指・中指・薬指・小指を纏めた部分の一方の側部ＦＳ１（親指の一方側の側部（内甲側の側部））から、親指・人差し指・中指・薬指・小指を纏めた部分の他方の側部ＦＳ２（小指の他方側の側部（外甲側の側部））までを少なくとも含み、足長方向Ｌが略沿う水平面内で、略直交する方向であると言える。
【００３１】
又、足Ｆにおける爪先Ｔ近傍を除いた前部分ＦＦ（ＭＰ関節からショパール関節まで）の足幅方向Ｓとは、当該前部分ＦＦの一方の側部ＦＳ１から、前部分ＦＦの他方の側部ＦＳ２までを少なくとも含み、足長方向Ｌが略沿う水平面内で、略直交する方向であると言える。
一方、足Ｆの後部分ＦＲ（ショパール関節から踵Ｈまで）における足幅方向Ｓとは、後部分ＦＲの一方の側部ＦＳ１から、後部分ＦＲの他方の側部ＦＳ２までを少なくとも含み、足長方向Ｌが略沿う水平面内で、略直交する方向であると言える。
【００３２】
＜使用者Ｕの足Ｆの足囲Ｗ、足囲方向Ｃ＞
図１、２、４に示したように、本発明における使用者Ｕの足Ｆの「足囲（足胴回り）Ｗ」とは、使用者Ｕの足Ｆにおける一方の側部ＦＳ１から底部ＦＢを経由して他方の側部ＦＳ２までを少なくとも含む部分を意味し、更に、甲部ＦＫ側を含んでいても良い。
詳解すれば、足囲Ｗは、上述した使用者Ｕの足Ｆの足長方向Ｌの各位置に応じており、例えば、足Ｆの爪先Ｔ近傍（爪先ＴからＭＰ関節まで）における足囲Ｗとは、親指・人差し指・中指・薬指・小指を纏めた部分の一方の側部ＦＳ１（親指の一方側の側部（内甲側の側部））から、親指・人差し指・中指・薬指・小指の底部ＦＢを経由して、親指・人差し指・中指・薬指・小指を纏めた部分の他方の側部ＦＳ２（小指の他方側の側部（外甲側の側部））も経由して、親指・人差し指・中指・薬指・小指の上面ＦＪ（甲部ＦＫ側）も含み、親指・人差し指・中指・薬指・小指を纏めた部分の一方の側部ＦＳ１まで１周して戻ってくるまでを含む部分であると言える。
【００３３】
又、足Ｆにおける爪先Ｔ近傍を除いた前部分ＦＦ（ＭＰ関節からショパール関節まで）の足囲Ｗとは、当該前部分ＦＦの一方の側部ＦＳ１から、前部分ＦＦにおける底部分（底部ＦＢ）を経由して、前部分ＦＦの他方の側部ＦＳ２も経由して、前部分ＦＦの甲部ＦＫ（上面ＦＪ又は甲部ＦＫ側）も含み、前部分ＦＦの一方の側部ＦＳ１まで１周して戻ってくるまでを含む部分であると言える。
一方、足Ｆの後部分ＦＲから踵Ｈまで（ショパール関節から踵Ｈまで）における足囲Ｗとは、後部分ＦＲの一方の側部ＦＳ１から、後部分ＦＲの底部ＦＢを経由して、後部分ＦＲの他方の側部ＦＳ２までを含む部分と言え、後部分ＦＲの上面は当然含まない（つまり、１周して戻ってはこない）。
【００３４】
よって、本発明における使用者Ｕの足Ｆの「足囲方向Ｃ」は、使用者Ｕの足Ｆにおける一方の側部ＦＳ１から底部ＦＢを経由して他方の側部ＦＳ２までの各表面は少なくとも略沿う周方向（上述の足長方向Ｌを略中心として囲む周方向）であるとも言える。
詳解すれば、足Ｆの爪先Ｔ近傍における足囲方向Ｃとは、親指・人差し指・中指・薬指・小指を纏めた部分の一方の側部ＦＳ１から、親指・人差し指・中指・薬指・小指の底部ＦＢと、親指・人差し指・中指・薬指・小指を纏めた部分の他方の側部ＦＳ２と、親指・人差し指・中指・薬指・小指の上面ＦＪ（甲部ＦＫ側）を経由して、親指・人差し指・中指・薬指・小指を纏めた部分の一方の側部ＦＳ１の各表面まで略沿って戻る（１周回る）周方向であると言える。
【００３５】
又、足Ｆにおける爪先Ｔ近傍を除いた前部分ＦＦの足囲方向Ｃとは、当該前部分ＦＦの一方の側部ＦＳ１から、前部分ＦＦの底部ＦＢと、前部分ＦＦの他方の側部ＦＳ２と、前部分ＦＦの甲部ＦＫ（上面ＦＪ等）を経由して、前部分ＦＦの一方の側部ＦＳ１の各表面まで略沿って戻る（１周回る）周方向であると言える。
一方、足Ｆの後部分ＦＲおける足囲方向Ｃとは、後部分ＦＲの一方の側部ＦＳ１から、後部分ＦＲの底部ＦＢを経由して、後部分ＦＲの他方の側部ＦＳ２までの各表面に略沿う周方向であり、後部分ＦＲの上部は当然略沿わない（つまり、１周回る周方向ではない）。
【００３６】
＜アッパー部材１の足長方向Ｌ’、足長方向長さ１Ｌなど＞
図３、９に示すように、アッパー部材１の足長方向Ｌ’は、当該アッパー部材１が足Ｆを覆った際、その足Ｆの足長方向Ｌに略沿う方向であると言えると共に、アッパー部材１のうち後述の爪先部分１ｔ（爪先部分１ｔ（緯編地２の爪先部分２ｔ）において最も前方へ突出した部分の先端）と踵部分１ｈ（踵部分１ｈ（緯編地２の踵部分２ｈ）において最も後方へ突出した部分の先端）を結ぶ方向であるとも言える。
又、アッパー部材１の足長方向長さ（前後長さ）１Ｌは、当該アッパー部材１が足Ｆを覆った際、当該アッパー部材１における足Ｆの足長方向Ｌに略沿った長さであるとも言えると共に、アッパー部材１における爪先部分１ｔ（爪先部分１ｔにおいて最も前方へ突出した部分の先端）から踵部分１ｈ（踵部分１ｈにおいて最も後方へ突出した部分の先端）までの長さとも言える。
【００３７】
ここで、本発明における「アッパー部材１の足長方向長さ１Ｌ」とは、アッパー部材１をソール部材３０に取り付ける前（アッパー部材１が単独で存在している時（一旦、アッパー部材１をソール部材３０に取り付けた後に、敢えてソール部材３０から取り外した時も含む））の当該アッパー部材１の足長方向長さ１Ｌを意味し、当該アッパー部材１に後述する加熱成形をした後におけるアッパー部材１の足長方向長さ１Ｌであっても、当該加熱成形をする前におけるアッパー部材１の足長方向長さ１Ｌであっても良い。
尚、アッパー部材１である一体編成された緯編地２の足長方向Ｌ’が緯編組織のコース方向であり、アッパー部材１（緯編地２）の足長方向長さ１Ｌが緯編組織のコース方向長さである。
【００３８】
＜アッパー部材１の足幅方向Ｓ’など＞
図１、２、４に示すように、アッパー部材１の足幅方向Ｓ’は、当該アッパー部材１が足Ｆを覆った際、その足Ｆの足幅方向Ｓに略沿う方向であると言えると共に、アッパー部材１の上述した足長方向Ｌ’に対して、当該足長方向Ｌ’が略沿う水平面内で、略直交する方向であるとも言える。
尚、アッパー部材１である一体編成された緯編地２の足幅方向Ｓ’が緯編組織のウェール方向である。
【００３９】
＜アッパー部材１の足囲方向Ｃ’、足囲Ｗ’＞
図１、２、４に示すように、アッパー部材１の足囲方向Ｃ’は、当該アッパー部材１が足Ｆを覆った際、その足Ｆの足囲方向Ｃに略沿う方向であり、アッパー部材１の足囲Ｗ’は、当該アッパー部材１が足Ｆを覆った際、その足Ｆの足囲方向Ｃに略沿った長さであるとも言える。
尚、アッパー部材１である一体編成された緯編地２の足囲方向Ｃ’がウェール方向であり、アッパー部材１（緯編地２）の足囲Ｗ’がウェール方向長さである。
【００４０】
＜緯編地２＞
図１〜９に示されたように、緯編地２は、アッパー部材１として立体的に一体編成されており、この緯編地１枚で、上述した使用者Ｕの足Ｆの全体を覆っている。
つまり、緯編地２は、使用者Ｕの足Ｆの足長方向Ｌにおける全ての位置で、使用者Ｕの足Ｆにおける一方の側部ＦＳ１から底部ＦＢを経由して他方の側部ＦＳ２までを少なくとも含む足胴回りＷを覆っていると言える。
【００４１】
詳解すれば、緯編地２は、使用者Ｕの足Ｆの爪先Ｔ近傍（爪先ＴからＭＰ関節まで）に対しては、親指・人差し指・中指・薬指・小指を纏めた部分の一方の側部ＦＳ１から、親指・人差し指・中指・薬指・小指の底部ＦＢと、親指・人差し指・中指・薬指・小指を纏めた部分の他方の側部ＦＳ２と、親指・人差し指・中指・薬指・小指の上面ＦＪ（甲部ＦＫ側）を経由して、親指・人差し指・中指・薬指・小指を纏めた部分の一方の側部ＦＳ１までを、１周回る部分（有底状で略筒状の前筒部分２ａ）で覆っていると言える。
緯編地２は、足Ｆにおける爪先Ｔ近傍を除いた前部分ＦＦ（ＭＰ関節からショパール関節まで）に対しては、当該前部分ＦＦの一方の側部ＦＳ１から、前部分ＦＦの他方の側部ＦＳ２と、前部分ＦＦの甲部ＦＫ（上面ＦＪ）を経由して、前部分ＦＦの一方の側部ＦＳ１の各表面までを、１周回る部分（略筒状の中筒部分２ｂ）で覆っていると言える。
【００４２】
一方、緯編地２は、足Ｆの後部分ＦＲに対しては、後部分ＦＲの一方の側部ＦＳ１から、後部分ＦＲの底部ＦＢを経由して、後部分ＦＲの他方の側部ＦＳ２までを覆い、後部分ＦＲの上部は当然覆わない（つまり、足Ｆの後部分ＦＲから踵Ｈまでを、１周回らず、上方開口した（履き口２ｇが上方に形成された）有底状の後開口部分２ｃで覆っている）。
このようにアッパー部材１を緯編地２で一体編成し、この緯編地２で、使用者Ｕの足Ｆの足長方向Ｌにおける全ての位置で、使用者Ｕの足Ｆにおける一方の側部ＦＳ１から底部ＦＢを経由して他方の側部ＦＳ２までを少なくとも含む足胴回りＷを覆っている。
【００４３】
ここまで述べたように、使用者Ｕの足Ｆを覆う緯編地２は、一体編成されているのであれば、何れの緯編組織でも良いが、例えば、天竺編（平編）やスムース編（両面編、二重ゴム編）の他、ゴム編、パール編、タック編、浮き編、レース編、両畦編、片畦編、ペレリン編、アイレット編、多衝程両面編、ダブル・ジャージー編、振り編、針抜き編、パイル編、フリース編、添え糸編、からみ添え糸編、ラーベン編、ひねり編、アーガイル編などの緯編組織（丸編組織）であっても良く、この緯編組織は、後述するように、部分的に異なっていても構わず、２種類以上の緯編組織で、１つの緯編地２を編成しても良い（例えば、２種類など）。
又、緯編地２は、上述した緯編組織を複数重ねて、一部又は全部を構成しても（２重緯編地や３重緯編地などでも）良いが、上述した緯編組織１重で構成して、軽量化を図っても構わない。
【００４４】
このように、１つの緯編地２が一体編成されているため、多種の材料を積層せず、又、接着剤も使用しないことから、常に外気を取り入れ易く、靴１００内部の湿気を放出し易く、蒸れを抑制できる。更には、緯編地２は、複数種の糸で一体編成されていることから、交編素材であるとも言え、靴１００内の汗を発散し易く、水に濡れても排水性が良いため、乾燥も速いに優れているため、靴１００内を快適に保ち易いとも言える。
【００４５】
緯編地２は、上述した前筒部分２ａや中筒部分２ｂ、後開口部分２ｃ、履き口２ｇを有し、その他、後述する爪先部分２ｔ、後開口部分２ｃにおける最も後方に位置する部分（踵部分）２ｈを有している。
尚、緯編地２の重量も、特に限定はないが、例えば、１５ｇ以上３５ｇ以下、好ましくは１８ｇ以上３２ｇ以下、更に好ましくは２０ｇ以上３０ｇ以下（２５ｇなど）であっても良い。
【００４６】
＜緯編地２の爪先部分２ｔ・踵部分２ｈなど＞
その他、緯編地２は、使用者Ｕの足Ｆの爪先Ｔ側を覆う爪先部分２ｔや、使用者Ｕの足Ｆの踵Ｈを覆う踵部分２ｈなどを有していても良い。
尚、緯編地２において、上述した爪先部分２ｔと前筒部分２ａと中筒部分２ｂは、合わせて前部分２ｆであり、上述した踵部分２ｈと後開口部分２ｃ、履き口２ｇは、合わせて後部分２ｒであるとも言える。
【００４７】
上述した爪先部分２ｔは、上述した使用者Ｕの足Ｆの爪先ＴからＭＰ関節までを覆う緯編地２の有底状の前筒部分２ａにおいて、足Ｆの爪先Ｔ前方側の略中央位置（足幅方向且つ足厚方向における略中央位置）を覆う部分であり、緯編地２において最も前方へ突出した部分である一方、踵部分２ｈは、緯編地２において最も後方へ突出した部分である。
尚、緯編地２における一方の側部分２ｓ１とは、緯編地２の前部分２ｆの一方の側部分と後部分２ｒの一方の側部分を合わせたものであり、緯編地２における他方の側部分２ｓ２とは、前部分２ｆの他方の側部分と後部分２ｒの他方の側部を合わせたものであり、緯編地２における足裏部分２ｕとは、前部分２ｆの底部と後部分２ｒの底部を合わせたものであると言える。
【００４８】
＜内ヒダ部２１と、外表部２２＞
図１〜９に示されたように、内ヒダ部２１は、緯編地２の一部であって、後述する外表部２２を編成する糸より伸度Ｄが高い糸で編成されている。
これを換言すれば、外表部２２も、緯編地２の一部であって、上述した内ヒダ部２１を編成する糸より伸度Ｄが低い糸で編成されていると言える。
【００４９】
このような内ヒダ部２１、外表部２２のうち、少なくとも内ヒダ部２１は、長手方向と所定のヒダ幅を有したヒダ状であって、このヒダ状の内ヒダ部２１を、２つの外表部２２が両側から挟んだヒダ挟み構造７が、緯編地２に設けられている。
【００５０】
又、内ヒダ部２１は、平面視で、上述した使用者Ｕの足Ｆにおける一方の側部ＦＳ１から他方の側部ＦＳ２へ又は他方の側部ＦＳ２から一方の側部ＦＳ１へ向いて配置されると共に、外表部２２は、内ヒダ部２１の隙間に配置されていても良い。
これは、外表部２２も、平面視で、上述した使用者Ｕの足Ｆにおける一方の側部ＦＳ１から他方の側部ＦＳ２へ又は他方の側部ＦＳ２から一方の側部ＦＳ１へ向いて配置されると共に、内ヒダ部２１は、外表部２２の隙間に配置されているとも言える。
【００５１】
つまり、内ヒダ部２１と外表部２２それぞれが、使用者Ｕの足Ｆの足幅方向Ｓ（足囲方向Ｃ）に略沿いながら、又は、足幅方向Ｓ（足囲方向Ｃ）に対して若干の角度をつけながら、当該使用者Ｕの足Ｆを覆っているとも言える。これと同時に、内ヒダ部２１と外表部２２それぞれが、使用者Ｕの足Ｆにおける足長方向Ｌに沿って略交互に配置されているとも言える。
尚、内ヒダ部２１と外表部２２の少なくとも一方は、使用者Ｕの足Ｆを１周回って覆っていても良いが、当該足Ｆの足囲方向Ｃの途中で、途切れていても良い。
【００５２】
＜伸度Ｄ＞
このような内ヒダ部２１と外表部２２は、編成される糸の伸度Ｄによって区別されるが、ここで、この伸度Ｄ自体について述べる。
本発明において「伸度Ｄ」とは、緯編地２を編成する糸を、当該糸の長手方向に引っ張った際の伸び易さ（逆に言えば、伸び難さ）を意味する。
尚、この伸度Ｄは、内ヒダ部２１、外表部２２それぞれを編成する糸そのものの伸度であるため、「糸伸度Ｄ」とも言える。
【００５３】
例えば、後に詳解する熱融着糸４等が使用される糸に含まれていれば、熱処理（加熱成形など）をすることで、緯編地２（例えば、外表部２２）の手触りが硬くなり、硬くなれば当然に緯編地２（外表部２２等）自体は伸び難くなることから、伸度Ｄは、硬さを表すとも言える。
又、伸度Ｄは、伸び易さを表現できるのであれば何れでも良いが、例えば、ＪＩＳ−Ｋ−６９００：１９９４に規定された応力−ひずみ曲線（stress-strain curve 、ＳＳカーブ）で表しても良い。
【００５４】
尚、実際に緯編地２に使われる糸においては、伸張する時に必要とされる応力（伸張時のＳＳカーブの形状）と、収縮する時に自然に生じる応力（収縮時のＳＳカーブの形状）が異なる（ヒステリシスループ（履歴曲線）となる）。
よって、このＳＳカーブにあれば、緯編地２に使われる糸において、伸張時に必要な応力と共に、収縮時に生じる応力も把握でき、使用者Ｕが靴１００を履いて緯編地２を伸張する時に必要な応力だけでなく、靴１００を履いた後に、緯編地２が収縮して使用者Ｕの足Ｆを拘束する様子が明確になり、アッパー部材１の伸度Ｄを表すものとして適切であると言える。
【００５５】
ここで、この応力−ひずみ曲線（ＳＳカーブ）は、ＪＩＳ−Ｋ−６９００：１９９４では「応力とひずみの対応する数値を互いに対照させて曲線で表した図表。注−通常応力の数値は縦軸（垂直）に、ひずみの数値は横軸（水平）にプロットされる」と規定されている。
伸度Ｄを示す応力−ひずみ曲線を、例えば、縦軸に応力（単位：Ｎ（ニュートン））とし、横軸に、伸張割合（単位：％）又は伸張長さ（単位：ｍ）としたり、その他、伸度Ｄの単位として、所定の伸張割合（％）又は伸張長さ（ｍ）だけ長手方向に伸張した時における応力（Ｎ（ニュートン））であっても良い。
尚、伸張割合とは、（伸張した時の長さ−伸張前の元の長さ）／（伸張前の元の長さ）で求められる。
【００５６】
又、上述した「ヒステリシスループ（履歴曲線）」は、ＪＩＳ−Ｋ−６９００：１９９４では「材料の周期的変形の間に作り出されるひずみに対する応力（又はこれらの関数）の閉鎖曲線図」と規定されている。
このようなヒステリシスループとなる応力−ひずみ曲線（ＳＳカーブ）で伸度Ｄを表した場合、その高低（大小）関係については、例えば、収縮時の傾き平均値（収縮時の区間におけるＳＳカーブ全体の傾き（例えば、単位はＮ／ｍ）を平均した値）で高低を比較したり、その他、伸張時の傾き平均値（伸張時の区間におけるＳＳカーブ全体の傾きを平均した値）や、収縮時の傾き平均値と伸張時の傾き平均値を足して２で割った値などで高低を比較しても良い。
【００５７】
その他、伸度Ｄを表すものとして、同じくＪＩＳ−Ｋ−６９００：１９９４で規定されたヤング率（引張弾性率）を用いても良い。
ここで、このヤング率は、ＪＩＳ−Ｋ−６９００：１９９４では「応力とひずみの商（割線弾性率）Ｅ＝σ／ε、又は、応力−ひずみ曲線に対する接線（接線弾性率）Ｅ＝ｄσ／ｄε」と規定されている。
【００５８】
尚、上記式中の「σ」とは、ＪＩＳ−Ｋ−６９００：１９９４において「応力（stress）」と規定され、「物体内部のある一点を通る一定の平面の単位面積に作用する内力又は内力の成分のその点における強さ」を意味しており、又、上記式中の「ε」とは、ＪＩＳ−Ｋ−６９００：１９９４において「ひずみ（strain）」と規定され、「物体のもとの寸法又は形状と比べた外力に基づく長さの寸法又は形状における変化」を意味する。
このヤング率の単位は、Ｎ（ニュートン）／ｍ2 （平方メートル）などとなる。
【００５９】
このようなヤング率は、上述した応力−ひずみ曲線（ＳＳカーブ）において言えば、例えば、収縮時や伸張時におけるＳＳカーブの傾きや、ヒステリシスループとなるＳＳカーブ上の任意の点における接線の傾きを意味することとなり、何れの区間や何れの点とするかで値が違ってくる。
従って、ヤング率で伸度Ｄを表した場合、その高低関係についても、例えば、ヒステリシスループの収縮時の傾き平均値を表すヤング率同士で高低を比較したり、伸張時の傾き平均値を表すヤング率同士や、収縮時の傾き平均値と伸張時の傾き平均値を表す各ヤング率を足して２で割った値同士、ヒステリシスループ上の所定の点における接線の傾きを表すヤング率同士などで高低を比較することとなる。
【００６０】
このような伸度（糸伸度）Ｄが異なる糸で編成された内ヒダ部２１と外表部２２のうち、より伸度Ｄが高い糸で編成された内ヒダ部２１は「高伸度部２１」であるとも言え、より伸度Ｄが低い糸で編成された外表部２２は「低伸度部２２」であるとも言える。
尚、内ヒダ部（高伸度部）２１や、外表部（低伸度部）２２のような編部そのものとしての伸度は、「部分伸度Ｄ’」であるとも言える。
この「部分伸度Ｄ’」は、内ヒダ部２１と外表部２２のような各部分そのものを、所定方向（緯編地２の足長方向Ｌ’（コース方向）又は足囲方向（ウェール方向））に引っ張った際の伸び易さ（逆に言えば、伸び難さ）を意味するとも言え、上述した応力−ひずみ曲線（stress-strain curve 、ＳＳカーブ）や、ヤング率（引張弾性率）を用いて表したり、その他、部分伸度Ｄ’の単位として、所定の伸張割合（％）又は伸張長さ（ｍ）だけ所定の方向（例えば、足囲方向Ｃ’（ウェール方向））に伸張した時における所定の幅（例えば、５０ｍｍ）当りの応力（例えば、Ｎ（ニュートン）／５０ｍｍ）であっても良い。
【００６１】
このような「部分伸度Ｄ’」は、それぞれを編成する糸自体の糸伸度Ｄが異なることによって生じるが、この糸伸度Ｄ以外に、内ヒダ部２１、外表部２２としての構成（形状・配置・緯編組織や、各部分を編成する編目（ループ）の大きさ・数等）が異なることによっても生じるとも言え、内ヒダ部２１、外表部２２ごとに機能を持たせることも出来る。
そこで、内ヒダ部２１や、外表部２２のそれぞれの構成について、以下に詳解する。
【００６２】
＜内ヒダ部（高伸度部）２１＞
図１〜９に示したり、上述したように、より伸度Ｄ（糸伸度Ｄや、部分伸度Ｄ’）が高い内ヒダ部（高伸度部）２１は、アッパー部材１の内方側へヒダ状に突出可能な部分である。
内ヒダ部２１は、その配置に特に限定はないが、例えば、平面視で、上述した使用者Ｕの足Ｆにおける一方の側部ＦＳ１から他方の側部ＦＳ２へ、又は、他方の側部ＦＳ２から一方の側部ＦＳ１へ向いて（換言すれば、内ヒダ部２１は、後述する外表部（低伸度部）２２の隙間に（２つの外表部２２に挟まれて）配置されていても良い。
つまり、内ヒダ部２１は、その長手方向が、緯編地２の足幅方向Ｓ’のうち何れかの方向に略沿う方向、又は、足幅方向Ｓ’に対して若干の角度をつけた方向に向いて配置されているとも言える。
尚、内ヒダ部２１の長手方向は、上述した内ヒダ部２１（ヒダ挟み構造７）のヒダ幅方向と略直交している。
【００６３】
内ヒダ部２１は、ヒダ状であれば、その平面視形状（内ヒダ２１をアッパー部材１の外方側から視た形状）は、特に限定はなく、例えば、そのヒダ幅が略一定の略帯状（略線状や略筋（すじ）状）や、ヒダ幅が略一定でより幅広な略矩形状であったり、ヒダ幅が徐々に狭くなる先細り状（略三角形状）などであっても良い。
内ヒダ部２１の平面視形状が略帯状や先細り状である場合、その内ヒダ部２１は途中で屈曲していても良い。
【００６４】
内ヒダ部２１が略帯状である場合、その内ヒダ部２１のヒダ幅（緯編地２としてのコース方向である足長方向長さ）も、特に限定はないが、後述する外表部（低伸度部）２２より幅狭であっても良く、例えば、外表部２２と比べて、内ヒダ部（高伸度部）２１を編成する糸（内ヒダ糸、又は、高伸度糸）の本数（コースの数）がより少なかったり、内ヒダ糸の本数（コースの数）に関わらず、各内ヒダ糸の繊度（太さ）が細い等によって、外表部２２より幅狭となっても構わない。
又、内ヒダ部２１が略帯状である場合、その内ヒダ部２１のヒダ幅は、例えば、当該内ヒダ部２１を編成する内ヒダ糸が、１本（緯編地２としての１コース）以上、７本（緯編地２としての７コース）以下であっても良い。
以下、内ヒダ部２１は、略帯状であるとして述べる。
【００６５】
内ヒダ部２１がアッパー部材１の内方側へヒダ状に突出している時の突出深さも、特に限定はないが、ヒダ挟み構造７の伸張具合に応じて変化するとも言え、例えば、ヒダ挟み構造７（緯編地２）が伸張していない時における内ヒダ部２１の突出深さが最も深く、ヒダ挟み構造７がヒダ幅方向に伸張するにつれて、内ヒダ部２１の突出深さが浅くなるとも言える。
尚、内ヒダ部２１の突出深さは、後述する内ヒダ部２１と外表部２２との内外差ΔＴと略等しいとも言える（図８参照）。
又、図８に示したように、内ヒダ部２１は、そのヒダ幅方向の断面形状におけるヒダ両端同士が連結していない（非連結である）。
内ヒダ部２１の突出部分におけるヒダ幅方向の断面形状は、特に限定はないが、例えば、内方側が外方側より幅広な略台形状であったり、略矩形状や、内方側へ膨出した略アーチ状であっても良く、その他、ヒダ挟み構造７の伸張具合によって、当該ヒダ幅方向断面形状が（例えば、突出深さが浅くなるにつれて、略台形状→略矩形状→略アーチ状などに）変化しても良い。
【００６６】
内ヒダ部２１は、その長手方向が、緯編地２の足幅方向Ｓ’に略沿って、又は、足幅方向Ｓ’に対して若干の角度をつけて、所定の足幅方向範囲に配置されることとなる。
ここで、「所定の足幅方向範囲」とは、内ヒダ部２１の一方端から他方端まで（又は他方端から一方端まで）の足幅方向Ｓ’に亘る範囲とも言えるが、内ヒダ部２１が、使用者Ｕの足Ｆを１周回って覆っている場合（つまり、緯編地２の上面部分２ｊ（甲部分２ｋ）側と足裏部分２ｕに亘って内ヒダ部２１が配置されている場合）には、この足幅方向範囲は、緯編地２全体となり、内ヒダ部２１の足幅方向範囲における一方端や他方端は存在しなくなる。
【００６７】
内ヒダ部２１は、１つの緯編地２に対して複数あり、当該足Ｆの足長方向Ｌ（緯編地２の足長方向Ｌ’）に略沿って、繰り返し配置される。
又、内ヒダ部２１は、当該足Ｆの足長方向Ｌ（緯編地２の足長方向Ｌ’）に略沿って、所定の足長方向範囲に配置されることとなる。
ここで、「所定の足長方向範囲」とは、最も前（爪先部分２ｔ）側に配置された内ヒダ部２１の前端から、最も後（踵部分２ｈ）側に配置された内ヒダ部２１の後端までの足長方向Ｌ’に略沿った範囲となる。
【００６８】
又、内ヒダ部２１の前端位置や後端位置は、特に限定はないが、例えば、その前端位置は、緯編地２の先端（爪先部分２ｔの先端）から所定の足長方向長さだけ後方寄り離れた位置などであっても良く、後端位置は、緯編地２における前部分２ｆ（中筒部分２ｂ）の後端や、後部分２ｒにかかる位置などであっても構わない。
尚、内ヒダ部２１における足幅方向範囲や足長方向範囲は、後述する外表部２２における足幅方向範囲や足長方向範囲と略同一であるとも言える。
【００６９】
内ヒダ部（高伸度部）２１は、その一部に、上面ＦＪ側及び底部ＦＢ側において、伸度Ｄ（部分伸度Ｄ’）が異なる部分を有していても良い。
このような内ヒダ部２１中の伸度Ｄが異なる部分は、内ヒダ部（高伸度部）２１を編成する糸（内ヒダ糸、又は、高伸度糸）の各編目（ループ）の数・大きさを、他の部分と異なるようにしたり、後述する浮編組織５を足長方向Ｌ’に略沿わせることによって設けても良い。
【００７０】
その他、内ヒダ部２１の色と、後述する外表部２２の色は、異なっていても良く、更には、内ヒダ部２１の色と、外表部２２の色が、互いに補色（反対色、余色、対照色とも言い、例えば、黄と黒や、黄と青（青紫）、赤と緑など色相環 (color circle) で正反対に位置する関係の色の組合せ）となっていたり、白と黒、淡色と濃色など明度が異なる色の組合せや、暖色と寒色、膨張色と収縮色などの組合せ等となっても構わない。
【００７１】
＜内ヒダ糸（高伸度糸）＞
ここまで述べた内ヒダ部（高伸度部）２１を編成する糸（謂わば、内ヒダ糸、又は、高伸度糸）については、後述する外表部（低伸度部）２２を編成する糸より伸度（糸伸度）Ｄが高ければ、その他は特に限定はないが、例えば、ポリウレタン（ＰＵ）樹脂製の糸とゴム製の糸の少なくとも一方を含んでいても良い。
又、内ヒダ糸は、芯糸に対して鞘糸を巻き付けたカバリング構造であっても良い。
【００７２】
尚、内ヒダ糸がカバリング構造である場合、芯糸が、ポリウレタン樹脂製の糸やゴム製の糸であって、鞘糸が、ポリエステル樹脂（例えば、ポリエチレンテレフタレート（ＰＥＴ）樹脂など）の熱融着糸であっても良い。
更に、内ヒダ部２１を編成する内ヒダ糸としては、後述する熱融着性部分を有した熱融着糸を含んでいたり、その他の素材の糸を含んでいても良い。
【００７３】
内ヒダ糸（高伸度糸）の伸度（糸伸度）Ｄは、後述する外表部（低伸度部）２２を編成する糸（外表糸、又は、低伸度糸）より、糸伸度Ｄが高ければ、その具体的な値に、特に限定はないが、例えば、内ヒダ糸が長手方向に１５％伸張した時の応力（単位：Ｎ（ニュートン））が、０．０１Ｎ以上５．００Ｎ以下、好ましくは０．０２Ｎ以上３．００Ｎ以下、更に好ましくは０．０３Ｎ以上２．００Ｎ以下であっても良い。
又、この内ヒダ糸で編成された内ヒダ部２１としての部分伸度Ｄ’も、その具体的な値に、特に限定はないが、例えば、幅（生地幅）５０ｍｍの内ヒダ部２１が足囲方向Ｃ’（ウェール方向）に１５％伸張した時の応力（単位：Ｎ（ニュートン）／５０ｍｍ）が、１．００Ｎ／５０ｍｍｍ以上３０．００Ｎ／５０ｍｍ以下、好ましくは３．００Ｎ／５０ｍｍ以上２０．００Ｎ／５０ｍｍ以下、更に好ましくは５．００Ｎ／５０ｍｍ以上１５．００Ｎ／５０ｍｍ以下であっても良い。
【００７４】
＜外表部（低伸度部）２２＞
図１〜９に示したり、上述したように、より伸度Ｄ（糸伸度Ｄや、部分伸度Ｄ’）が低い外表部（低伸度部）２２は、上述した内ヒダ部（高伸度部）２１を編成する糸より伸度（糸伸度）Ｄが低い糸で編成され、且つ、内ヒダ部２１よりアッパー部材１の外方側に位置している。
外表部２２も、その配置に特に限定はないが、例えば、平面視で、上述した使用者Ｕの足Ｆにおける一方の側部ＦＳ１から他方の側部ＦＳ２へ、又は、他方の側部ＦＳ２から一方の側部ＦＳ１へ向いて（換言すれば、外表部２２は、上述した内ヒダ部２１の隙間に（内ヒダ部２１のそばに）配置されているとも言える。
つまり、外表部２２も、緯編地２の足幅方向Ｓ’のうち何れかの方向に略沿う方向、又は、足幅方向Ｓ’に対して若干の角度をつけた方向に向いて配置されているとも言える。
【００７５】
外表部２２も、その平面視形状（内ヒダ２１をアッパー部材１の外方側から視た形状）は、特に限定はなく、例えば、略帯状（略線状や略筋（すじ）状）であったり、先細り状（略三角形状）や略矩形状などであっても良い。
外表部２２の平面視形状が略帯状である場合、その外表部２２は途中で屈曲していても良い。
【００７６】
外表部２２が略帯状である場合、その外表部２２の幅（緯編地２としてのコース方向である足長方向長さ）も、特に限定はないが、上述した内ヒダ部（高伸度部）２１より幅広であっても良く、例えば、内ヒダ部２１と比べて、外表部（低伸度部）２２を編成する糸（外表糸、又は、低伸度糸）の本数（コースの数）がより多かったり、外表糸の本数（コースの数）に関わらず、各外表糸の繊度（太さ）が太い等によって、内ヒダ部２１より幅広となっても構わない。
又、外表部２２が略帯状である場合、その外表部２２の幅は、例えば、当該外表部２２を編成する外表糸が、１本（緯編地２としての１コース）以上、７本（緯編地２としての７コース）以下であっても良い。
以下、外表部２２も、略帯状であるとして述べる。
【００７７】
更に、外表部２２におけるヒダ幅方向の断面形状も、特に限定はないが、例えば、横長の略矩形状（アッパー部材１（緯編地２）の表面に略沿う方向が長い略矩形状）であっても良く（図８参照）、この場合の外表部２２は、平面視形状が略帯状で、断面形状が略矩形状となることから、全体として、略平板状であるとも言える。
その他、外表部２２におけるヒダ幅方向の断面形状は、アッパー部材１の外方側に突出した略アーチ状であっても良く、この略アーチ状のアーチ具合（湾曲具合）によっては、この場合の外表部２２は、平面視形状が略帯状で、断面形状が略アーチ状であることから、全体として、外表部２２もヒダ状であるとも言える。
又、図８に示したように、外表部２２は、管状ではない（非管状である）ため、外表部２２のヒダ幅方向断面形状における端部同士が連結していない（非連結である）。
【００７８】
外表部２２は、緯編地２の足幅方向Ｓ’に略沿って、又は、足幅方向Ｓ’に対して若干の角度をつけて、所定の足幅方向範囲に配置されることとなる。
ここで、「所定の足幅方向範囲」とは、外表部２２の一方端から他方端まで（又は他方端から一方端まで）の足幅方向Ｓ’に亘る範囲とも言えるが、外表部２２が、使用者Ｕの足Ｆを１周回って覆っている場合（つまり、緯編地２の上面部分２ｊ（甲部分２ｋ）側と足裏部分２ｕに亘って外表部２２が配置されている場合）には、この足幅方向範囲は、緯編地２全体となり、外表部２２の足幅方向範囲における一方端や他方端も存在しなくなる。
【００７９】
外表部２２も、１つの緯編地２に対して複数あり、当該足Ｆの足長方向Ｌ（緯編地２の足長方向Ｌ’）に略沿って、繰り返し配置されている。
又、外表部２２も、当該足Ｆの足長方向Ｌ（緯編地２の足長方向Ｌ’）に略沿って、所定の足長方向範囲に配置される。
ここで、「所定の足長方向範囲」とは、最も前（爪先部分２ｔ）側に配置された外表部２２の前端から、最も後（踵部分２ｈ）側に配置された外表部２２の後端までの足長方向Ｌ’に略沿った範囲となる。
【００８０】
又、外表部２２の前端位置や後端位置も、特に限定はないが、例えば、その前端位置は、緯編地２の先端（爪先部分２ｔの先端）から所定の足長方向長さだけ後方寄り離れた位置などであっても良く、後端位置は、緯編地２における前部分２ｆ（中筒部分２ｂ）の後端や、後部分２ｒにかかる位置などであっても構わない。
尚、外表部２２における足幅方向範囲や足長方向範囲も、上述した内ヒダ部（高伸度部）２１における足幅方向範囲や足長方向範囲と略同一であるとも言える。
【００８１】
外表部（低伸度部）２２も、その一部に、上面ＦＪ側及び底部ＦＢ側において、伸度Ｄ（部分伸度Ｄ’）が異なる部分を有していても良い。
このような外表部２２中の伸度Ｄが異なる部分は、外表部（低伸度部）２２を編成する糸（外表糸、又は、低伸度糸）の各編目（ループ）の数・大きさを、他の部分と異なるようにしたり、後述する浮編組織５によって設けても良い。
又、上述したように、外表部２２の色と、内ヒダ部２１の色は、異なっていても良く、更には、外表部２２の色と、内ヒダ部２１の色が、互いに補色（反対色、余色、対照色とも言い、例えば、黄と黒や、黄と青（青紫）、赤と緑など色相環 (color circle) で正反対に位置する関係の色の組合せ）となっていたり、白と黒、淡色と濃色など明度が異なる色の組合せや、暖色と寒色、膨張色と収縮色などの組合せ等となっても構わない。
【００８２】
＜外表糸（低伸度糸）＞
ここまで述べた外表部（低伸度部）２２は、アッパー部材１（又は、靴１００）としての補強材を構成しているとも言える。
又、外表部（低伸度部）２２を編成する糸（謂わば、外表糸、又は、低伸度糸）としては、熱融着性部分を有した熱融着糸を含んでいても良い（この熱融着糸を含むことで、外表部２２がまさしく補強材になれるとも言える）。
【００８３】
熱融着糸は、上述した外表部２２等に使われる糸の１種であって（つまり、熱融着糸は、外表部２２を編成する外表糸に含まれていて）、熱融着性部分を有している。
この熱融着性部分は、熱処理をすることで溶融する部分であって、熱融着糸が非熱融着性部分も有している場合には、熱融着性部分は、当然、非熱融着性部分より融点が低くなる。
【００８４】
この熱融着性部分や非熱融着性部分の素材は、特に限定はないが、例えば、熱融着性部分と非熱融着性部分が、ポリエチレン（ＰＥ）樹脂とポリプロピレン（ＰＰ）樹脂であっても良い。この他の素材としては、熱融着性部分と非熱融着性部分が、ポリエステル樹脂（ポリエチレンテレフタレート（ＰＥＴ）樹脂、ポリトリメチレンテレフタレート（ＰＴＴ）樹脂、ポリブチレンテレフタレート（ＰＢＴ）樹脂など）とポリエチレン（ＰＥ）樹脂やポリアミド（ナイロン）樹脂であったり、通常のポリエステル樹脂（高融点ポリエステル樹脂）と低融点ポリエステル樹脂などであっても構わない。
熱融着糸は、例えば、融点がより高い非熱融着性部分を芯とし、融点がより低い熱融着性部分を鞘とした芯鞘構造や、融点がより高い非熱融着性部分の芯糸に対して、融点がより低い熱融着性部分の鞘糸を巻き付けたカバリング構造などでも良い。
【００８５】
外表糸（低伸度糸）の伸度（糸伸度）Ｄは、上述した内ヒダ部（高伸度部）２１を編成する糸（内ヒダ糸、又は、高伸度糸）より、糸伸度Ｄが低ければ、その具体的な値に、特に限定はないが、例えば、外表糸が長手方向に１５％伸張した時の応力（単位：Ｎ（ニュートン））が、０．０１Ｎ以上１０．００Ｎ以下、好ましくは０．０５Ｎ以上７．００Ｎ以下、更に好ましくは０．０７Ｎ以上５．００Ｎ以下であっても良い。
又、この外表糸で編成された外表部２２としての部分伸度Ｄ’も、その具体的な値に、特に限定はないが、例えば、幅（生地幅）５０ｍｍの外表部２２が足囲方向Ｃ’（ウェール方向）に１５％伸張した時の応力（単位：Ｎ（ニュートン）／５０ｍｍ）が、３．００Ｎ／５０ｍｍ以上５０．００Ｎ／５０ｍｍ以下、好ましくは７．００Ｎ／５０ｍｍ以上３０．００Ｎ／５０ｍｍ以下、更に好ましくは１０．００Ｎ／５０ｍｍ以上２０．００Ｎ／５０ｍｍ以下であっても良い。
【００８６】
更に、内ヒダ糸（高伸度糸）の糸伸度Ｄから、外表糸（低伸度糸）の糸伸度Ｄを引いた値（つまり、内ヒダ部（高伸度部）２１と外表部（低伸度部）２２との糸伸度Ｄの差（糸伸度差）ΔＤ）も、０より大きければ、その具体的な値に、特に限定はないが、例えば、各糸が長手方向に１５％伸張した時の応力（単位：Ｎ（ニュートン））の糸伸度差ΔＤが、０．０１Ｎ以上５．００Ｎ以下、好ましくは０．０３Ｎ以上４．００Ｎ以下、更に好ましくは０．０４Ｎ以上３．００Ｎ以下であっても良い。
又、内ヒダ部（高伸度部）２１の部分伸度Ｄ’から、外表部（低伸度部）２２の部分伸度Ｄ’を引いた値（つまり、内ヒダ部（高伸度部）２１と外表部（低伸度部）２２との部分伸度Ｄ’の差（部分伸度差）ΔＤ’）も、０より大きければ、その具体的な値に、特に限定はないが、例えば、幅（生地幅）５０ｍｍの各部分（各生地）が足囲方向Ｃ’（ウェール方向）に１５％伸張した時の応力（単位：Ｎ（ニュートン）／５０ｍｍ）の部分伸度差ΔＤ’が、２．００Ｎ／５０ｍｍ以上２０．００Ｎ／５０ｍｍ以下、好ましくは４．００Ｎ／５０ｍｍ以上１０．００Ｎ／５０ｍｍ以下、更に好ましくは５．００Ｎ／５０ｍｍ以上８．００Ｎ／５０ｍｍ以下であっても良い。
【００８７】
＜シューホール３＞
上述した外表部（低伸度部）２２には、シューホール３が形成されていても良い。
このシューホール３について、以下に詳解する。
【００８８】
図１〜９に示されたように、シューホール３は、緯編地２（アッパー部材１）を貫通して当該アッパー部材１の外側とその内側（使用者Ｕの足Ｆ側）を繋げる孔であって、靴１００のシューレース（靴紐）１０１を挿通する。
このシューホール３を有する場合には、外表部２２に形成されていれば、その他、何れの箇所に設けられていても良い。
【００８９】
シューホール３は、緯編地２を貫通するのであれば、その形状・大きさ・構成・数に限定はないが、例えば、形状については、丸孔状（略真円形状）や長孔状（略楕円形状）であっても良い。
特に、シューホール３が長孔状である場合、その長軸の方向も、特に限定はないが、例えば、使用者Ｕの足Ｆの足囲方向Ｃ（緯編地２の足囲方向Ｃ’）や、外表部２２の延びる方向に沿略っていても良い。又、シューホール３が長孔状である場合、後述するシューレース１０１を１本だけでなく複数本、挿通することが出来るとも言える。
【００９０】
シューホール３の大きさも、特に限定はないが、例えば、シューホール３が丸孔状であれば、その直径は３ｍｍ以上６ｍｍ以下であったり、シューホール３が長孔状であれば、その長径は３ｍｍ以上１０ｍｍ以下、短径は３ｍｍ以上６ｍｍ以下であっても良い。
又、シューホール３の大きさは、足囲方向Ｃ’の長さが、当該シューホール３を構成する編目（ループ）の数によって決まり、足長方向Ｌ’の長さが、緯編地２におけるコース数によって決まるとも言え、それらの数も特に限定はないが、例えば、編目の数であれば３個以上１０個以下、コース数であれば３コース以上６コース以下であっても良い。
【００９１】
シューホール３の構成（緯編組織）も、特に限定はないが、例えば、当該シューホール３を伏せ目によって編成しても良い。
尚、シューホール３を伏せ目で編成した場合には、当該シューホール３において、この伏せ目と対向する側は、掛け目となるとも言える。
【００９２】
この他、シューホール３は、寄せ目によって編成されていたり、パンチングによって設けられていても良い。
又、シューホール３は、その孔の周縁を樹脂で補強していたり、ハトメ（鳩目）その他の樹脂製、金属製等の部材を嵌め込んでいても良い。
【００９３】
シューホール３は、１つの緯編地２に対して、左右一対に複数が足長方向Ｌ’に略沿って列を成すように設けられていても良く、シューホール３の個数も、特に限定はないが、左右の例でそれぞれ３個以上１５個以下（１０個など）であっても良い。
【００９４】
＜ヒダ挟み構造７＞
図１、５〜９（特に、図８）に示したように、ヒダ挟み構造７は、上述した１つの内ヒダ部（高伸度部）２１が、２つの外表部（低伸度部）２２に挟まれる構造である。
尚、このヒダ挟み構造７における内ヒダ部２１は、上述したように、緯編地２（内ヒダ部２１）のヒダ幅方向断面視で、アッパー部材１の内方側（下方）へ突出可能である共に、アッパー部材１の外方側（上方）は開口しており、ヒダ挟み構造のヒダ幅方向断面視で、管状（外方側が閉じた形状）にはなっていない。
又、ヒダ挟み構造７における外表部２２も、上述したように、緯編地２（外表部２２）のヒダ幅方向断面視で、アッパー部材１の外方側（上方）に位置すると共に、アッパー部材１の内方側（下方）は開口しており、ヒダ挟み構造７のヒダ幅方向断面視で、管状（内方側が閉じた形状）にはなっていない。
【００９５】
ヒダ挟み構造７は、当該ヒダ挟み構造７が伸張していない時に、１つの内ヒダ部２１が２つの外表部２２の間でアッパー部材１（緯編地２）の内方側に隠れるように配置されていたり、ヒダ挟み構造７は、当該ヒダ挟み構造７がヒダ幅方向に伸張した時に、１つの内ヒダ部２１が２つの外表部２２の間から露出するように配置されていても良い。
又、ヒダ挟み構造７は、当該ヒダ挟み構造７が伸張していない時における１つの内ヒダ部２１と２つの外表部２２との内外差ΔＴが、当該ヒダ挟み構造７がヒダ幅方向に伸張した時における内外差ΔＴより大きくても良い。
従って、このヒダ挟み構造７の伸張具合によって、内ヒダ部２１が外表部２２で隠されるように配置される場合は、内ヒダ部２１が外表部２２より陥没していて、内ヒダ部（高伸度部）２１と、外表部（低伸度部）２２で凹凸（ヒダ挟み構造７（緯編地２）のヒダ幅方向の断面視で、略波形）を形成しているとも言える。
【００９６】
ヒダ挟み構造７の配置も、に特に限定はないが、例えば、平面視で、上述した使用者Ｕの足Ｆにおける一方の側部ＦＳ１から他方の側部ＦＳ２へ、又は、他方の側部ＦＳ２から一方の側部ＦＳ１へ向いて配置されている。
つまり、外表部２２も、緯編地２の足幅方向Ｓ’のうち何れかの方向に略沿う方向、又は、足幅方向Ｓ’に対して若干の角度をつけた方向に向いて配置されているとも言える。
又、ヒダ挟み構造７の形状も、特に限定はなく、例えば、略帯状（略線状や略筋（すじ）状）であったり、先細り状（略三角形状）や略矩形状などであっても良い。
【００９７】
ヒダ挟み構造７が設けられる位置は、特に限定はないが、例えば、アッパー部材１において、使用者Ｕの足Ｆの前部を覆う足前被覆部２３と、使用者Ｕの足ＦのＭＰ関節部分を覆うＭＰ被覆部２４と、使用者Ｕの足Ｆの足首を覆う足首被覆部２５のうちの少なくとも１つに設けられていても良い。
詳解すれば、ヒダ挟み構造７は、足前被覆部２３とＭＰ被覆部２４と足首被覆部２５の何れか１つだけに設けられていても良いし、足前被覆部２３とＭＰ被覆部２４と足首被覆部２５の何れか２つに設けられたり、足前被覆部２３とＭＰ被覆部２４と足首被覆部２５の全てに設けられていても良い。
以下は、これら足前被覆部２３・ＭＰ被覆部２４・足首被覆部２５について述べる。
【００９８】
＜足前被覆部２３＞
図１、５〜９（特に、図１、５、７）に示したように、足前被覆部２３は、使用者Ｕの足Ｆの爪先ＴからＭＰ関節まで（ＭＰ関節の手前まで）を覆う部分である。
詳解すれば、足前被覆部２３は、使用者Ｕの足Ｆにおいて、親指・人差し指・中指・薬指・小指を纏めた部分の一方の側部ＦＳ１から、親指・人差し指・中指・薬指・小指の底部ＦＢと、親指・人差し指・中指・薬指・小指を纏めた部分の他方の側部ＦＳ２と、親指・人差し指・中指・薬指・小指の上面ＦＪ（甲部ＦＫ側）を経由して、親指・人差し指・中指・薬指・小指を纏めた部分の一方の側部ＦＳ１までを、１周回る部分を覆う部分である。
【００９９】
足前被覆部２３は、既に述べた部分を用いて表現すれば、緯編地２における爪先部分（使用者Ｕの足Ｆの爪先Ｔ側を覆う部分）２ｔを含む有底状で略筒状の前筒部分２ａであると言える。
尚、足前被覆部２３においては、使用者Ｕの足Ｆの各指を底部ＦＢ側（足裏側）に曲げることによって、その反対側の上面ＦＪ（甲部ＦＫ側）で、内ヒダ部２１と外表部２２の動きが現れ易い（足前被覆部２３の上面ＦＪ（甲部ＦＫ側）にグラデーションが生じ易い、又は、足前被覆部２３の上面ＦＪ（甲部ＦＫ側）では内ヒダ部２１が露出し易い）とも言える。
【０１００】
＜ＭＰ被覆部２４＞
図１、５〜９（特に、図１、５、７）に示したように、ＭＰ被覆部２４は、使用者Ｕの足ＦのＭＰ関節部分（ＭＰ関節近傍）を覆う部分である。
詳解すれば、ＭＰ被覆部２４は、使用者Ｕの足ＦにおけるＭＰ関節近傍の一方の側部ＦＳ１から、ＭＰ関節近傍の底部ＦＢと、ＭＰ関節近傍の他方の側部ＦＳ２と、ＭＰ関節近傍の上面ＦＪ（甲部ＦＫ側）を経由して、ＭＰ関節近傍の一方の側部ＦＳ１までを、１周回る部分を覆う部分である。
【０１０１】
ＭＰ被覆部２４は、既に述べた部分を用いて表現すれば、緯編地２における略筒状の中筒部分２ｂの前部であると言える。
尚、ＭＰ被覆部２４においても、使用者Ｕの足ＦのＭＰ関節を上面ＦＪ側（甲部ＦＫ側）に曲げる（足Ｆの親指の付け根（拇趾球）を地面につけて、足Ｆの甲部ＦＫを前方に移動させた）ことによって、同じ上面ＦＪ（甲部ＦＫ側）で、内ヒダ部２１と外表部２２の動きが現れ易い（ＭＰ被覆部２４の上面ＦＪ（甲部ＦＫ側）にグラデーションが生じ易い、又は、ＭＰ被覆部２４の上面ＦＪ（甲部ＦＫ側）では内ヒダ部２１が隠れ易い）とも言える。
【０１０２】
＜足首被覆部２５＞
図１、５〜９（特に、図１）に示したように、足首被覆部２５は、使用者Ｕの足Ｆの足首（踝周辺部分、換言すれば、足Ｆと下腿との間の関節（足Ｆの距骨等と、下腿の脛骨・腓骨との間の足関節）近傍）を覆う部分である。
詳解すれば、足首被覆部２５は、使用者Ｕの足Ｆにおける足関節近傍の一方の側面から、足関節近傍の後面（背面）と、足関節近傍の他方の側面と、足関節近傍の前面を経由して、足関節近傍の一方の側面までを、１周回る部分を覆う部分である。
【０１０３】
足首被覆部２５は、既に述べた部分を用いて表現すれば、緯編地２における後開口部分２ｃから履き口２ｇの下方までの部分であるとも言える。
尚、足首被覆部２５においては、使用者Ｕの足Ｆの足関節を後面側に曲げた（爪先Ｔまでを伸ばすように曲げた）際にはその反対側の前面側で、足関節の前面側に曲げた（足Ｆの底部ＦＢ（足裏）を地面につけて、下腿を前方に移動させた）際にはその反対側の後面側で、内ヒダ部２１と外表部２２の動きが現れ易い（足首被覆部２５の後面側と前面側それぞれにグラデーションが生じ易い、又は、足首被覆部２５の前面側と後面側それぞれでは足関節を曲げた方向と反対側で内ヒダ部２１が露出し易い）とも言える。
【０１０４】
特に図７では、アッパー部材１に表れるグラデーションを示している。
この図７では、使用者Ｕの足ＦにおけるＭＰ関節を、上面ＦＪ側へ曲げる（足Ｆの拇趾球を地面につけて、足Ｆの甲部ＦＫを前方に移動させる）ことで、一部の内ヒダ部（高伸度部）２１は、外表部２２に隠されて露出しないが、その他の内ヒダ部２１は露出するため、内ヒダ部２１の色が見えないＭＰ関節近傍から、そのＭＰ関節から上方又は下方に向かうに従って、徐々に内ヒダ部２１の色が見える（グラデーションが生じる）こととなる。
これは、アッパー部材１（緯編地２）における一方又は他方の側部（側面）でも同様で、例えば、使用者Ｕの足Ｆが幅広な（ＭＰ関節等で左右外方に出っ張った）形状であったり、カーブを曲がる際などの力が足幅方向Ｓ’に略沿ってかかることで、一部の内ヒダ部（高伸度部）２１は露出するが、その他の内ヒダ部２１は、外表部２２に隠されたまま露出しないため、内ヒダ部２１の色が見える箇所から、徐々に内ヒダ部２１の色が見えなくなる（グラデーションが生じる）こととなるとも言える。
【０１０５】
ここまで述べたヒダ挟み構造７における内ヒダ部２１と外表部２２それぞれは、上述したように、使用者Ｕの足Ｆにおける足長方向Ｌ（アッパー部材１（緯編地２）の足長方向Ｌ’）に沿って略交互に配置されていても良いが、この場合、ヒダ挟み構造７は、使用者Ｕの足Ｆにおける足長方向Ｌに沿って連続していて配置されているとも言え、このように連続して配置されたヒダ挟み構造７のうち、隣接するヒダ挟み構造７同士は、１つの外表部２２を共有し合っているとも言える。
又、ヒダ挟み構造７がアッパー部材１（緯編地２）の足長方向Ｌ’に連続して配置されている場合には、隣接するヒダ挟み構造７における内ヒダ部２１は、各内ヒダ部２１の端部同士が互いに連結しておらず（非連結であり）、当該隣接するヒダ挟み構造７で共有される外表部２２は、管状ではない（非管状である）とも言える。
【０１０６】
ここで、図８について詳解すれば、図８では、ヒダ挟み構造７がアッパー部材１（緯編地２）の足長方向Ｌ’に連続して配置されている場合を示している。
特に、図８（ａ）は、ヒダ挟み構造７（アッパー部材１、緯編地２）の非伸張時を示しており、各ヒダ挟み構造７における内ヒダ部２１が、２つの外表部２２の間でアッパー部材１（緯編地２）の内方側へ突出しており、この内ヒダ部２１は２つの外表部２２の間に隠れるように配置されていると言える。
又、図８（ｂ）は、ヒダ挟み構造７（アッパー部材１、緯編地２）の伸張時を示しており、各ヒダ挟み構造７における内ヒダ部２１は、２つの外表部２２の間でアッパー部材１（緯編地２）の内方側へ突出しておらず、この内ヒダ部２１は２つの外表部２２の間から露出するように配置されていると言える。
つまり、ヒダ挟み構造７は、非伸張時の内ヒダ部２１と外表部２２との内外差ΔＴが、伸張時の内外差ΔＴより大きくなると言える。
尚、ヒダ挟み構造７がヒダ幅方向の断面視で凹凸を形成しているとも言えることから、この内外差ΔＴは、凹凸差であるとも言える。
【０１０７】
＜靴１００の全体構成＞
図９には、本発明に係る靴１００が示されている。
この靴１００は、使用者Ｕが履くものであり、当該使用者Ｕの足Ｆを覆うこととなる。
【０１０８】
靴１００は、上述したアッパー部材１と、このアッパー部材１を取り付けるソール部材３０を備えており、その他、シューレース１０１等を備えていても良い。
又、靴１００全体としての重量も、特に限定はないが、例えば、８０ｇ以上１７０ｇ以下、好ましくは１００ｇ以上１５０ｇ以下、更に好ましくは１１０ｇ以上１４０ｇ以下（１２５ｇなど）であっても良い。
尚、図１〜８におけるアッパー部材１では、内ヒダ部（高伸度部）２１及び外表部（低伸度部）２２が、使用者Ｕの足Ｆの足幅方向Ｓに略沿って、又は、足幅方向Ｓに対して斜めに配置されているが、図９におけるアッパー部材１では、内ヒダ部２１は、平面視で、使用者Ｕの足Ｆにおける一方の側部ＦＳ１から他方の側部ＦＳ２へ又は他方の側部ＦＳ２から一方の側部ＦＳ１へ向いて先細り状に配置され、外表部２２は、平面視で、使用者Ｕの足Ｆの足幅方向Ｓに蛇行して配置されている。
【０１０９】
＜ソール部材３０＞
図９に示すように、ソール部材３０は、靴１００において、上述のアッパー部材１の下方から取り付けられる（貼り付けられる）部材である。
ソール部材３０は、その素材について、特に限定はないが、例えば、合成ゴムや、エチレン・酢酸ビニル共重合（ＥＶＡ）樹脂、ポリウレタン（ＰＵ）樹脂などの合成樹脂、又は、合成ゴムや、エチレン・酢酸ビニル共重合樹脂、ポリウレタン樹脂などの合成樹脂を発泡させたもの、天然ゴム、天然皮革などであっても良い。
【０１１０】
ソール部材３０は、その硬さ（例えば、上述した伸度Ｄ）についても、特に限定はないが、例えば、アッパー部材１より硬く（アッパー部材１より伸度Ｄが低く）構成されていても良い（アッパー部材１のみでは靴１００を使用し難いため）。
ソール部材３０の形状などは、靴１００の使用用途に応じて、特に限定はない。
ソール部材３０の重量も、特に限定はないが、例えば、７０ｇ以上１３０ｇ以下、好ましくは８０ｇ以上１２０ｇ以下、更に好ましくは９０ｇ以上１１０ｇ以下（１００ｇなど）であっても良い。
【０１１１】
＜ソール部材３０の足長方向長さ３０Ｌ＞
ソール部材３０の足長方向長さ３０Ｌは、特に限定はないが、例えば、上述したアッパー部材１の足長方向長さ１Ｌより長くても構わない。
このように、ソール部材３０の足長方向長さ３０Ｌを、アッパー部材１の足長方向長さ１Ｌより長くすることによって、アッパー部材１をソール部材３０に取り付けた際に、アッパー部材１全体で、使用者Ｕの足Ｆを緩やかに拘束でき、使用者Ｕが靴１００を履いた際に、使用者Ｕの足Ｆの皮膚に、アッパー部材１を更に追従させ易くなる。
ここで、本発明における「ソール部材３０の足長方向長さ３０Ｌ」とは、アッパー部材１をソール部材３０に取り付ける前（アッパー部材１が単独で存在している時（一旦、アッパー部材１をソール部材３０に取り付けた後に、敢えてソール部材３０から取り外した時も含む））の当該ソール部材３０の足長方向長さ３０Ｌを意味する。
【０１１２】
＜シューレース１０１＞
図９に示すように、シューレース（靴紐）１０１は、アッパー部材１において、上述したシューホール３に挿通する紐状の部材である。
シューレース１０１は、シューホール３に挿通することが出来るのであれば、何れの色・素材・幅（太さ）・長さ・断面形状・構成（平紐等）であっても良い。
【０１１３】
シューレース１０１のシューホール３への挿通には、特に限定はないが、例えば、１つのシューホール３に対して、シューレース１０１を１本だけ挿通したり、複数本、挿通しても良い。
又、複数のシューホール３に対するシューレース１０１の挿通についても、隣接するシューホール３それぞれに（飛ばさずに）挿通したり、隣接するシューホール３のうち１つ又は複数だけ飛ばして挿通しても良い。
【０１１４】
＜その他＞
本発明は、前述した実施形態に限定されるものではない。アッパー部材１、靴１００等の各構成又は全体の構造、形状、寸法などは、本発明の趣旨に沿って適宜変更することが出来る。
アッパー部材１（緯編地２）は、左右の区別なく編成されて、同一形状の２つのアッパー部材１に対して、左右何れのソール部材３０を取り付けても良く、同一形状の２つのアッパー部材１を、左右何れの靴１００に対して用いても構わない。
【０１１５】
アッパー部材１には、撥水防汚などの機能性樹脂を塗布しても良い。
アッパー部材１には、プリントを施したり、シールを張り付ける等をしても良い。
アッパー部材１は、その甲部ＦＫ側に舌片状のタン部分や、左右一対の羽根部分を有し、この羽根部分にシューホール３が設けられていても良い。
逆に、アッパー部材１は、シューホール３自体を有さなくとも良く、又、靴１００は、シューレース１０１を用いなくとも構わない。
尚、アッパー部材１は、内ヒダ部２１と外表部２２の他に、例えば、緯編地２の爪先部分２ｔや、踵部分２ｈ、後開口部分２ｃ、履き口２ｇなどの後部分２ｒに、内ヒダ部２１や外表部２２を編成する糸以外の糸等で編成された部分を有していても良い。
【０１１６】
内ヒダ部２１は、平面視で、使用者Ｕの足Ｆにおける一方の側部ＦＳ１から他方の側部ＦＳ２へ又は他方の側部ＦＳ２から一方の側部ＦＳ１へ向いて先細り状に配置されていても良く、ここで、「平面視で、使用者Ｕの足Ｆにおける一方の側部ＦＳ１から他方の側部ＦＳ２へ又は他方の側部ＦＳ２から一方の側部ＦＳ１へ向いて先細り状に配置されている」とは、内ヒダ部２１は、緯編地２を上から視た平面視（上面部分２ｊ（甲部分２ｋ）側）で、足Ｆにおける一方の側部ＦＳ１（緯編地２の一方の側部分２ｓ１）から他方の側部ＦＳ２（緯編地２の他方の側部分２ｓ２）へ、又は、他方の側部ＦＳ２（緯編地２の他方の側部分２ｓ２）から一方の側部ＦＳ１（緯編地２の一方の側部分２ｓ１）へ向いて先細ることを意味する。
外表部２２は、平面視で、使用者Ｕの足Ｆの足幅方向Ｓに蛇行して配置されていても良い、ここで、「蛇行して配置されている」とは、外表部２２が、緯編地２（アッパー部材１）を上から視た平面視（上面部分２ｊ（甲部分２ｋ）側）で、使用者Ｕの足Ｆにおいて、一方の側部ＦＳ１から他方の側部ＦＳ２に向いて延びた後に他方の側部ＦＳ２から一方の側部ＦＳ１に向いて延び、又は、他方の側部ＦＳ２から一方の側部ＦＳ１に向いて延びた後に一方の側部ＦＳ１から他方の側部ＦＳ２に向いて延びる（換言すれば、ジグザク状になる）部分が、当該足Ｆの足長方向Ｌに沿って、所定の足長方向範囲（所定回数）だけ繰り返すことを意味する。
外表部２２は、浮編組織５を有していても良い。
緯編地２の履き口２ｇは、ウーリー糸を含む糸で編成されていたり、履き口２ｇの後部に上方突出した舌片が設けられていても良い。
シューホール３は、外表部２２に設けられる以外に、内ヒダ部２１に設けられていても良い。
【０１１７】
＜加熱成形＞
上述した緯編地２は、加熱（熱処理）によって成形（加熱成形）されても良く、この加熱成形では、緯編地２を、人の平均的な足型である「ラスト（Last）」に履かせた（被せた）状態で熱処理する。
このような加熱成形によって、緯編地２における外表部（低伸度部）２２を、使用者Ｕの足Ｆの足長方向Ｌや足厚方向に対して斜めに位置するＭＰ関節・リスフラン関節・ショパール関節に寄り添うように、緯編地２の足長方向Ｌ’や足厚方向に対して斜めに配置させた状態を保持しても良い。
尚、上述した伸度Ｄ（糸伸度Ｄ、部分伸度Ｄ’）は、加熱成形する前に測定した伸度Ｄ及び加熱成形した後に測定した伸度Ｄの何れをも含む。
【産業上の利用可能性】
【０１１８】
本発明に係るアッパー部材、及び、靴は、競技会に出場するアスリート用だけでなく、市民ランナー用やリハビリ用など、老若男女を問わず何れの使用者にも利用可能である。
【符号の説明】
【０１１９】
１        アッパー部材
１Ｌ      アッパー部材の足長方向長さ
２        緯編地
２１      内ヒダ部
２２      外表部
２３      足前被覆部
２４      ＭＰ被覆部
２５      足首被覆部
７        ヒダ挟み構造
３０      ソール部材
３０Ｌ    ソール部材の足長方向長さ
１００    靴
Ｕ        使用者
Ｆ        使用者の足
Ｄ        糸の伸度
ΔＴ      内ヒダ部と外表部との内外差
【図１】
2019062969.tif 000003
【図２】
2019062969.tif 000004
【図３】
2019062969.tif 000005
【図４】
2019062969.tif 000006
【図５】
2019062969.tif 000007
【図６】
2019062969.tif 000008
【図７】
2019062969.tif 000009
【図８】
2019062969.tif 000010
【図９】
2019062969.tif 000011